(57)【要約】      （修正有）【課題】安価な板金製部材を用いることによって、プロジェクタエンジン部の電磁干渉抑制性能の低下を防止できるシールド構造を提供する。【解決手段】回路基板３とヒートシンク４とが備わっているエンジン部Ａにおいて、回路基板３とヒートシンク４との対向空間に板金製のガスケットプレート６を挾み込む。ガスケットプレート６はＵ字状に形成されていて、回路基板３の端縁部を跨いで配備された門形板片部７を介して取付部８に連設されている。取付部８が、筐体フレーム１とその筐体フレームにビス止めしたカバー２との間に挟み込まれている。【選択図】        図１
2006251584.tif 000002
【特許請求の範囲】
【請求項１】
光束を画像情報に応じて変調することにより形成した光学画像を投写レンズを介して投写するためのエンジン部に、デジタルミラーデバイス制御回路を搭載した回路基板と、その回路基板に対向配備されてエンジン部の熱籠もりによる発熱を抑制するヒートシンクとが備わっていると共に、それらの回路基板とヒートシンクとの対向空間に電磁干渉の発生を抑制するための弾力性を備えた棒状ガスケットが挾み込まれているプロジェクタエンジン部構造において、
上記棒状ガスケットを省略する代わりに、上記回路基板とヒートシンクとの対向空間に、上記回路基板のグランドパターンに弾接する第１接片部と上記ヒートシンクに弾接する第２接片部とそれらを連設する連結片部とを一体に備えて上記第２接片部が複数の接片要素に分割されて櫛歯状に形成されたＵ字状のガスケットプレートが挟み込まれ、上記回路基板の端縁部を跨いで配備された門形板片部を介して上記ガスケットプレートに連設された板片状の取付部が、上記エンジン部を密閉して光漏れを防ぐための筐体フレームとその筐体フレームにビス止めされたカバーとの間に挟み込まれていると共に、その取付部が上記筐体フレームとカバーとをビス止めしている取付ビスを用いて締付け固定されており、
上記ガスケットプレートと上記取付部と上記門形板片部とが板金による一体成形体として形成され、かつ、上記ガスケットプレートの連結片部が先導端として上記回路基板とヒートシンクとの対向空間に押し込まれていることを特徴とするプロジェクタエンジン部構造。
【請求項２】
光束を画像情報に応じて変調することにより形成した光学画像を投写レンズを介して投写するためのエンジン部に、デジタルミラーデバイス制御回路を搭載した回路基板と、その回路基板に対向配備されてエンジン部の熱籠もりによる発熱を抑制するヒートシンクとが備わっていると共に、それらの回路基板とヒートシンクとの対向空間に電磁干渉の発生を抑制するための弾力性を備えた棒状ガスケットが挾み込まれているプロジェクタエンジン部構造において、
上記棒状ガスケットを省略する代わりに、上記回路基板とヒートシンクとの対向空間に板金製のガスケットプレートを挟み込んでそのガスケットプレートを上記回路基板のグランドパターンと上記ヒートシンクとに弾接させると共に、そのガスケットプレートに連設した板片状の取付部を、上記エンジン部を密閉して光漏れを防ぐための筐体フレームとその筐体フレームに取り付けられたカバーとの間に挟み込んで固定してあることを特徴とするプロジェクタエンジン部構造。
【請求項３】
上記ガスケットプレートが、上記回路基板のグランドパターンに弾接する第１接片部と上記ヒートシンクに弾接する第２接片部とそれらを連設する連結片部とを一体に備えるＵ字状に形成されていて、そのガスケットプレートが、その連結片部を先導端として上記回路基板とヒートシンクとの対向空間に押し込まれている請求項２に記載したプロジェクタエンジン部構造。
【請求項４】
上記ガスケットプレートは、その第２接片部が複数の接片要素に分割されて櫛歯状に形成されている請求項３に記載したプロジェクタエンジン部構造。
【請求項５】
上記取付部と上記ガスケットプレートとが、上記回路基板の端縁部を跨いで配備された門形板片部により連設されている請求項２ないし請求項４のいずれか１項に記載されたプロジェクタエンジン部構造。
【発明の詳細な説明】
【技術分野】
【０００１】
本発明は、各種のプレゼンテーションや一般家庭などで画像をスクリーンに投写することに用いられるプロジェクタのエンジン部構造に関する。
【背景技術】
【０００２】
プレゼンテーションに用いられるプロジェクタのエンジン部が光学ユニットにより形成されていて、その光学ユニットは、光源装置から射出された光束を画像情報に応じて変調して光学像を形成し、投写レンズを介してスクリーン上に投写画像を形成するものであること、並びに、プロジェクタにおいて筐体を合成樹脂として場合に、光源駆動回路がＥＭＩ（電磁干渉）の発生源となるために電磁シールド材を設ける必要があること、などが先行例（特許文献１参照））に記載されている。また、この特許文献１には、光源ランプの交換を行うための蓋部材に、ＥＭＩ発生源を遮蔽するシールド板を取付ねじによって脱落しないように取り付けることが記載されている。
【０００３】
他の先行例（特許文献２参照）には、液晶プロジェクタの駆動回路ブロックと液晶パネルとを接続するためのフラットケーブルから放射される電磁波を遮蔽するために、アルミ薄板などを金型を用いて打抜き形成した金属シートで覆うと共に、その金属シートをシールドケースの開口に挿入して駆動回路ブロックの取付孔にねじ止めすることが記載されている。
【０００４】
さらに他の先行例（特許文献３参照）には、プロジェクタの樹脂製の外装ケースに金属製のシールド部材を収納することが記載されている。
【０００５】
特許文献１に記載されているプロジェクタのエンジン部に相応する作用を発揮するプロジェクタエンジン部の外観構成を図４に概略側面図で示し、そのエンジン部の筐体フレーム１と回路基板３とヒートシンク４との配置を図５に示してある。
【０００６】
図４のように、エンジン部Ａにあっては、筐体フレーム１とその筐体フレーム１の上部に配備された板金製のカバー２とが中空のハウジングを構成しており、その内部に種々の光学部品が組み込まれている。また、そのハウジングの前部に投写レンズ部１２が設けられているのに対し、その背後に、デジタルミラーデバイス制御回路を搭載した回路基板３とヒートシンク４とがこの順に配備されている。このエンジン部Ａは、冒頭に掲げた特許文献１によって説明されている光学ユニットと同様の作用、すなわち、光束を画像情報に応じて変調することにより形成した光学画像を投写レンズを介して投写するという作用を発揮するものであることから、このエンジン部からの光漏れに起因する映像復元性能の低下を防ぐために、上記した筐体フレーム１やカバー２はエンジン部Ａを密閉して光漏れを防ぐという機能をも担っている。これに対し、上記ヒートシンク４は、密閉されたエンジン部Ａで発生する熱を放散させてそのエンジン部Ａの熱籠もりによる発熱を抑制する作用を発揮する。一方、図５のように、筐体フレーム１はその上部が開口していて、その開口１３の口縁部１４には突起１５とねじ孔１６とが左右に振り分けて形成されており、これらの突起１５とねじ孔１６とを利用して図４に示したカバー２が取り付けられている。
【０００７】
以上の構造を備えたエンジン部Ａでは、回路基板３から出る電磁ノイズがヒートシンク４のフィンを経て放射されて電磁干渉（ＥＭＩ）が発生するということが確認されており、従来よりそのような電磁干渉を抑制する対策（ＥＭＩ対策）が講じられている。
【０００８】
図６は従来より講じられていたＥＭＩ対策を示した要部の断面図、図７はＥＭＩ対策のために用いられる棒状ガスケット５の概略斜視図である。
【０００９】
従来のＥＭＩ対策に用いられていた図７の棒状ガスケット５は、弾力性を備える芯材５１の周囲に導電性と柔軟性を備えたメッシュ材（金網材）５２を巻き付けて被覆してなる。そして、ＥＭＩ対策では、この棒状ガスケット５を図６のように回路基板３とヒートシンク４との対向空間に挿入して挟み込むことにより、その棒状ガスケット５に備わっている弾力性によってその棒状ガスケット５を上記対向空間に保持させることによっていた。また、棒状ガスケット５を両面粘着テープなどを用いて回路基板３とヒートシンク４とに貼り付けるという対策を講じることもあった。なお、図６のように、カバー２は、その端部が筐体フレーム１の口縁部１４に重ね合わされてその口縁部１４のねじ孔１６にねじ込まれた取付ビス１７によって筐体フレーム１に結合されている。
【特許文献１】特開２００４−２０５７１４号公報（図５、０００３、００２４）
【特許文献２】特開平９−２３２７８５号公報
【特許文献３】特開２００３−１７８６５号公報
【発明の開示】
【発明が解決しようとする課題】
【００１０】
しかしながら、図６を参照して説明した従来のＥＭＩ対策によると、プロジェクタの組立工程でエンジン部Ａに加わる衝撃やその他の機会に起こり得る振動などが原因になって、回路基板３とヒートシンク４との対向空間に挟み込まれているＥＭＩ対策品としての棒状ガスケット５が位置ずれしたりその対向空間から抜け落ちたりして電磁干渉抑制性能が低下するという事態の起こることが知見された。この点は、棒状ガスケット５を両面粘着テープなどを用いて回路基板３とヒートシンク４とに貼り付けられている場合にも同様に知見された。
【００１１】
本発明は以上の状況に鑑み、従来の棒状ガスケットに代えて板金製のガスケットプレートを用いると共に、そのガスケットプレートが位置ずれしたり回路基板とヒートシンク４との対向空間から抜け落ちたりすることのない対策を講じることによって電磁干渉抑制性能の低下を防止することのできるプロジェクタエンジン部構造を提供することを目的とする。
【００１２】
また、本発明は、従来の棒状ガスケットが高価であるためにコスト高になっていたことを改善してコストダウンを図ることのできるプロジェクタエンジン部構造を提供することを目的とする。
【課題を解決するための手段】
【００１３】
本発明に係るプロジェクタエンジン部構造は、光束を画像情報に応じて変調することにより形成した光学画像を投写レンズを介して投写するためのエンジン部に、デジタルミラーデバイス制御回路を搭載した回路基板と、その回路基板に対向配備されてエンジン部の熱籠もりによる発熱を抑制するヒートシンクとが備わっていると共に、それらの回路基板とヒートシンクとの対向空間に電磁干渉の発生を抑制するための弾力性を備えた棒状ガスケットが挾み込まれているプロジェクタエンジン部構造において、上記棒状ガスケットを省略する代わりに、上記回路基板とヒートシンクとの対向空間に板金製のガスケットプレートを挟み込んでそのガスケットプレートを上記回路基板のグランドパターンと上記ヒートシンクとに弾接させると共に、そのガスケットプレートに連設した板片状の取付部を、上記エンジン部を密閉して光漏れを防ぐための筐体フレームとその筐体フレームに取り付けられたカバーとの間に挟み込んで固定してある、というものである。
【００１４】
この構成であれば、棒状ガスケットの代用として用いられている板金製のガスケットプレートがＥＭＩ対策品に要求される機能を満たし、しかも、そのガスケットプレートに連設された板片状の取付部が筐体フレームとカバーとの間に挟み込まれて固定されているために、ガスッケットプレートが衝撃や振動により回路基板とヒートシンクとの対向空間から抜け落ちたりすることがなくなり、電磁干渉抑制性能の低下が未然に防止されるようになる。しかも、ガスケットプレートが板金製であり、取付部が板片状であるために、それらのガスケットプレートと取付部とを板金による一体形成体としてその価格を安価に抑えることが容易に可能になる。したがって、プロジェクタエンジン部構造のコストダウンを図りやすくなる。
【００１５】
本発明では、上記ガスケットプレートが、上記回路基板のグランドパターンに弾接する第１接片部と上記ヒートシンクに弾接する第２接片部とそれらを連設する連結片部とを一体に備えるＵ字状に形成されていて、そのガスケットプレートが、その連結片部を先導端として上記回路基板とヒートシンクとの対向空間に押し込まれている、という構成を採用することが可能である。ここで、先導端とは、組立時にガスケットプレートを回路基板とヒートシンクとの対向空間に挿入する際に先導して挿入される端部を意味している。この構成であれば、ガスケットプレートを、その連結片部を先導端として、その弾性に抗して変形させながら回路基板とヒートシンクとの対向空間に押し込むことができるために、回路基板とヒートシンクとの対向空間にガスケットプレートを挟み込む作業が容易に行われ、そのような挾み込み作業を通じてガスケットプレートの第１接片部が回路基板のグランドパターンに弾接し、その第２接片部がヒートシンクに弾接してガスケットプレートがＥＭＩ対策品に要求される機能を満たすようになる。
【００１６】
本発明では、上記ガスケットプレートは、その第２接片部が複数の接片要素に分割されて櫛歯状に形成されていることが望ましい。これによれば、第２接片部の複数の接片要素が個別にヒートシンクに接触するので、その接触信頼性が向上して電磁干渉抑制性能の安定性が向上する。加えて、第２接片部が複数の接片要素に分割されていない場合に比べると、ガスケットプレートの連結片部を先導端として回路基板とヒートシンクとの対向空間に挿入する際の作業性が向上する。
【００１７】
本発明では、上記取付部と上記ガスケットプレートとが、上記回路基板の端縁部を跨いで配備された門形板片部により連設されているという構成を採用することが可能であり、これによれば、ガスケットプレートを回路基板とヒートシンクとの対向空間に無理なく挾み込むことが可能になる。
【００１８】
本発明に係るプロジェクタエンジン部構造は、光束を画像情報に応じて変調することにより形成した光学画像を投写レンズを介して投写するためのエンジン部に、デジタルミラーデバイス制御回路を搭載した回路基板と、その回路基板に対向配備されてエンジン部の熱籠もりによる発熱を抑制するヒートシンクとが備わっていると共に、それらの回路基板とヒートシンクとの対向空間に電磁干渉の発生を抑制するための弾力性を備えた棒状ガスケットが挾み込まれているプロジェクタエンジン部構造において、上記棒状ガスケットを省略する代わりに、上記回路基板とヒートシンクとの対向空間に、上記回路基板のグランドパターンに弾接する第１接片部と上記ヒートシンクに弾接する第２接片部とそれらを連設する連結片部とを一体に備えて上記第２接片部が複数の接片要素に分割されて櫛歯状に形成されたＵ字状のガスケットプレートが挟み込まれ、上記回路基板の端縁部を跨いで配備された門形板片部を介して上記ガスケットプレートに連設された板片状の取付部が、上記エンジン部を密閉して光漏れを防ぐための筐体フレームとその筐体フレームにビス止めされたカバーとの間に挟み込まれていると共に、その取付部が上記筐体フレームとカバーとをビス止めしている取付ビスを用いて締付け固定されており、上記ガスケットプレートと上記取付部と上記門形板片部とが板金による一体成形体として形成され、かつ、上記ガスケットプレートの連結片部が先導端として上記回路基板とヒートシンクとの対向空間に押し込まれている、という構成を採用することによっていっそう具体化される。この発明の作用については後述する実施形態を参照して詳細に説明する。
【発明の効果】
【００１９】
以上のように、本発明によれば、従来の棒状ガスケットに代えて安価な板金製のガスケットプレートを用いてＥＭＩ対策を講じてあり、しかも、そのガスケットプレートを取付部を解して筐体フレームに強固に固定した構造を採用したので、ガスケットプレートが位置ずれしたり回路基板とヒートシンクとの対向空間から抜け落ちたりすることがなくなって電磁干渉抑制性能の低下を防いでその安定性を向上させることが可能である。そのため、プロジェクタによって投写される画像品質の安定性も向上する。
【００２０】
また、ガスケットプレートをＵ字形としたものでは、そのガスケットプレートを回路基板とヒートシンクとの対向空間に押し込むんで組み付ける際の作業性が高まるため、従来の棒状ガスケットを組み付ける場合よりも量産性に適するという効果が奏される。
【発明を実施するための最良の形態】
【００２１】
図１は本発明の実施形態に係るプロジェクタエンジン部の要部の断面図、図２は同変形例の要部の断面図、図３はガスケットプレート６などを備えた板金製部材の概略斜視図である。
【００２２】
図１又は図２に示したエンジン部は図４を参照して説明したエンジン部Ａに相応している。したがって、筐体フレーム１はその上部が開口していて、その開口１３の口縁部１４には突起１５とねじ孔１６とが左右に振り分けて形成されており（図５参照）、これらの突起１５とねじ孔１６とを利用して図４に示したカバー２が取り付けられている。具体的には、ビス挿通孔２１を有するカバー２の端部を筐体フレーム１の口縁部１４に重ね合わせ、そのカバー２のビス挿通孔２１に挿通した取付ビス１７を、上記口縁部１４のねじ孔１６にねじ込んで締め付けることによってカバー２が筐体フレーム１に結合されている。そして、筐体フレーム１の上部に配備された板金製のカバー２とが中空のハウジングを構成し、その内部に種々の光学部品が組み込まれていると共に、その背後に、デジタルミラーデバイス制御回路を搭載した回路基板３とヒートシンク４とがこの順に配備されている。そして、このエンジン部Ａが、光束を画像情報に応じて変調することにより形成した光学画像を投写レンズを介して投写するという作用を発揮する。そして、ヒートシンク４の放熱性にによってエンジン部の熱籠もりによる発熱が抑制されるようになっている。
【００２３】
この実施形態では、ＥＭＩ対策のために、図６または図７を参照して説明した棒状ガスケット５に代えてガスケットプレート６が用いられている。図３に示したように、ガスケットプレート６は、横長板片状の第１接片部６１と複数の接片要素６３に分割されて櫛歯状に形成された第２接片部６２と、第１接片部６１と第２接片部６２とを連設している連結片部６４とを有するＵ字状に形成されていると共に、そのガスケットプレート６に、門形板片部７を介して板片状の取付部８が連設されている。
【００２４】
そして、図１又は図２のように、ガスケットプレート６は、回路基板３とヒートシンク４との対向空間に挾み込まれていて、回路基板３のグランドパターン（不図示）に第１接片部６１弾接し、ヒートシンク４に第２接片部６２の個々の接片要素６３が弾接している。また、門形板片部７が回路基板３の端縁部を跨いで配備されていると共に、取付部８が、筐体フレーム１の口縁部１４とその筐体フレーム１の口縁部１４にビス止めされたカバー２の端部との間に挟み込まれている。ここで、図１の事例では、取付部８にビス挿通孔８１が備わっていて、このビス挿通孔８１に、カバー２を筐体フレーム１に結合している取付ビス７が挿通されてその取付ビス７によって取付部８が締め付けられている。これに対し、図２の事例では、取付部８が、筐体フレーム１の口縁部１４とその筐体フレーム１の口縁部１４にビス止めされたカバー２の端部との間に挟み込まれているだけである。
【００２５】
上記したガスケットプレート６と門形板片部７と取付部８とは、板金に曲げ加工や打抜き加工を施すことによって形成される一体の板金製部材として構成されており、そのような板金製部材は、図７を参照して説明したＥＭＩ対策品としての棒状ガスケット５を用いた場合と同様に、ＥＭＩ対策品に要求される性能を満たすことを確認している。
【００２６】
そして、上記ガスケットプレート６は、それと一体の上記取付部８が筐体フレーム１の口縁部１４とその筐体フレーム１の口縁部１４にビス止めされたカバー２の端部との間に挟み込まれているために、容易に位置ずれしたり回路基板３とヒートシンク４との対向空間から抜け落ちたりすることがなく、その結果、ガスケットプレート６の位置ずれや抜落ちに伴う電磁干渉抑制性能の低下が未然に防止される。
【００２７】
次に、ガスケットプレート６を備える上記板金製部材の取付手順の一例を説明する。カバー２を筐体フレーム１に取り付ける工程に先立ち、板金製部材の門形板片部７を回路基板３の端縁部に嵌め込むと共に、ガスケットプレート６を、その弾性に抗して変形させながら連結片部６４により先導させて回路基板３とヒートシンク４との対向空間に押し込み、併せて、取付部８を筐体フレーム１の開口の口縁部１４に重ね合わせる。この後、カバー２の端部を取付部８の上に重ね、取付ビス１７をカバー２のビス挿通孔２１を通して筐体フレーム１のねじ孔１６にねじ込んで締め付ける。この例のように、ガスケットプレート６を、その連結片部６４を先導端として回路基板３とヒートシンク４との対向空間に押し込むようにすると、回路基板３とヒートシンク４との対向空間にガスケットプレート６を挟み込む作業を容易に行うことができ、しかも、そのような挾み込み作業を通じてガスケットプレート６の第１接片部６１が回路基板３のグランドパターンに確実に弾接し、その第２接片部６２の個々の接片要素６３がヒートシンク４に確実に弾接する。
【００２８】
この実施形態では、図１のように、ガスケットプレート６と一体の取付部８を筐体フレーム１にビス止めする手段として、カバー２を筐体フレーム１にビス止めしている取付ビス１７を共用しているので、取付部８を筐体フレーム１にビス止めするための取付ビスを別途用いる必要がない。そのため、部品点数の増加によるコストアップを来さずにガスケットプレート６を取り付けることができるという利点がある。
【図面の簡単な説明】
【００２９】
【図１】本発明の実施形態に係るプロジェクタエンジン部の要部の断面図である。
【図２】同変形例の要部の断面図である。
【図３】ガスケットプレートなどを備えた板金製部材の概略斜視図である。
【図４】プロジェクタエンジン部の外観構成を示した概略側面図である。
【図５】エンジン部の筐体フレームと回路基板とヒートシンクとの配置を示した概略平面図である。
【図６】従来より講じられていたＥＭＩ対策を示した要部の断面図である。
【図７】従来のＥＭＩ対策のために用いられる棒状ガスケットの概略斜視図である。
【符号の説明】
【００３０】
Ａ  エンジン部
１  筐体フレーム
２  カバー
３  回路基板
４  ヒートシンク
５  棒状ガスケット
６  ガスケットプレート
７  門形板片部
８  取付部
１７  取付ビス
６１  第１接片部
６２  第２接片部
６４  連結片部
６３  接片要素
【図１】
2006251584.tif 000003
【図２】
2006251584.tif 000004
【図３】
2006251584.tif 000005
【図４】
2006251584.tif 000006
【図５】
2006251584.tif 000007
【図６】
2006251584.tif 000008
【図７】
2006251584.tif 000009